(57)【要約】【課題】従来の家庭向けプラネタリウムは部屋の構造などにより設置場所に制約を受けることがあり、また表現も平面的であった。【解決手段】複数本の光ファイバ５の一端を束ね略揃えて光の入射部６を構成し、同入射部６にこれら光ファイバ５の一本一本に光を入射可能とした光源７を取付け、前記入射部６からのびる光ファイバ５の１本１本を天蓋４を構成するカーテン２表面に沿って取付けると共にこれら光ファイバ５の光出射端８をカーテン表面上の各所で光が出射される様に散らばして配置した。【選択図】図１
2013084482.tif 000002
【特許請求の範囲】
【請求項１】
ベッドやソファー等の家具の上に取り付けられ、レース生地等によるカーテンがベッドやソファー等の家具の上部空間の一部乃至全体を囲う様に構成された天蓋において、複数本の光ファイバの一端を束ね略揃えて光の入射部を構成し、同入射部にこれら光ファイバの一本一本に光を入射可能とした光源を取付け、前記入射部からのびる光ファイバの１本１本をカーテン表面に沿って取付けると共にこれら光ファイバの光出射端をカーテン表面上の各所で光が出射される様に散らばして配置してなることを特徴とする電飾付き天蓋。
【請求項２】
複数本の光ファイバは少なくとも２種類以上の径の異なるものを組み合わせていることを特徴とする請求項１記載の電飾付き天蓋。
【請求項３】
長尺な複数本の光ファイバの一端を束ね略揃えて光の入射部を構成し、同入射部にこれら光ファイバの一本一本に光を入射可能とした光源を取付けたことを特徴とする天蓋用の電飾装置。
【請求項４】
複数本の光ファイバは少なくとも２種類以上の径の異なるものを組み合わせていることを特徴とする請求項３記載の天蓋用の電飾装置。
【請求項５】
光源は接続した光ファイバの光出射端から光が出射されるが途中の部分では極力光が漏洩しないように光出力を低く調整してあることを特徴とする請求項３又は請求項４に天蓋用の電飾装置。
【発明の詳細な説明】
【技術分野】
【０００１】
ベッドやソファー等の家具の上に取り付けて使用される天蓋に関するものであり、特にベッドやソファーの上に横たわったり座ったりしている人が天蓋の下でプラネタリウムのような雰囲気を感じることができる様にした電飾付きの天蓋とそれに用いられる電飾装置に関するものである。
【背景技術】
【０００２】
ベッドやソファーの上に取り付けられる天蓋には様々な形をしたものがある。典型的なもののうち、一つには図４（ａ）に示す様な４本の支柱Ａを備えた枠Ｂにレース地のカーテンＣを取り付けた本格的で高価なものがあり、また一つには図４（ｂ）に示す様に天井からカーテンＣを吊るせる様に構成した簡素で安価なものがある。いずれのものもベッドやソファーなどの家具Ｄの上部空間Ｅをレース生地のカーテンＣで図４に示すように全体的に囲ったり、部分的に天井側を覆ったりする様になっており、ベッドやソファーに横たわったり座ったりした人がカーテンＣの内側や下側でくつろげる様になっている。従ってこのような天蓋には電飾を設けたものはなかった。なお、天蓋という名が付くもののカーテンを持たない仏具としての人天蓋では照明を備えたものはある。
【０００３】
ところで家庭向けのプラネタリウム装置としては、現在いくつか市販されている。これらは２万円前後の安価なものから１０万円を超える高価なものまであるが、価格帯に応じて映し出せる星の数や像の繊細さに違いがあるだけで、装置の仕組みとしては概ね同じ様なものである。基本的な仕組みとしては電球やＬＥＤの光を星座を表すフィルム等を通して天井等の壁に投影するものである。
【０００４】
上記と異なるものとしては、実用新案登録第３０８１７６９号広報記載のものもある。これは壁等の壁面に光ファイバを利用して光を点灯させるものである。
【先行技術文献】
【特許文献】
【０００５】
【特許文献１】実用新案登録第３０８１７６９号広報。
【発明の概要】
【発明が解決しようとする課題】
【０００６】
天蓋は空間を区切るカーテンの様なものとして使用されるためそれ自体に照明など電飾を設けたものはなかった。ところで家庭向けのプラネタリウム装置は、実際には次の様な課題もあった。
１．天井などの壁（面）に投影するため平面的に見えてしまい臨場感に欠けることがあった。
２．安価なものでは投影される点（星）がぼやけたり大きく投影されたりしてしまい幾分不自然に見えてしまう。
２．折りあげ天井を有する部屋の天井に投影する場合には段差などにより投影像が不自然になってしまうこともある。
３．天井中央に照明器具があるのが一般的で、これが邪魔になって部屋の中央に大きくきれいに投影させることはできなかった。
【０００７】
実用新案登録第３０８１７６９号広報記載のものは、部屋をリフォームするなど専用業者による工事が必要であり、気軽に且つ安価に楽しめるものではない。
【課題を解決するための手段】
【０００８】
本発明のうち請求項１記載の電飾付き天蓋は、ベッドやソファー等の家具の上に取り付けられ、レース生地等によるカーテンがベッドやソファー等の家具の上部空間の一部乃至全体を囲う様に構成された天蓋において、複数本の光ファイバの一端を束ね略揃えて光の入射部を構成し、同入射部にこれら光ファイバの一本一本に光を入射可能とし且つ入射部及びその近傍において光が漏れない様にした光源を取付け、前記入射部からのびる光ファイバの１本１本をカーテン表面に沿って取付けると共にこれら光ファイバの光出射端をカーテン表面上の各所で光が出射される様に散らばして配置してなるものである。
【０００９】
本発明のうち請求項２記載の電飾付き天蓋は、光ファイバが少なくとも２種類以上の径の異なるものを組み合わせてなるものである。
【００１０】
本発明のうち請求項３記載の天蓋用の電飾装置は、長尺な複数本の光ファイバの一端を束ね略揃えて光の入射部を構成し、同入射部にこれら光ファイバの一本一本に光を入射可能とした光源を取付けたものである。
【００１１】
本発明のうち請求項４記載の天蓋用の電飾装置は、複数本の光ファイバが少なくとも２種類以上の径の異なるものを組み合わせて構成されたものである。
【００１２】
本発明のうち請求項５記載の天蓋用の電飾装置は、光源が接続した光ファイバの光出射端から光が出射されるが途中の部分では極力光が漏洩しないように光出力を低く調整したものである。
【発明の効果】
【００１３】
本発明の電飾付き天蓋には次のような効果がある。
（１）請求項１記載のものでは、天蓋のカーテンの表面に沿って這わせた光ファイバによりカーテン表面のあちこちから光ファイバの小さな光を発せさせることができ、ベッドやソファー等の家具の上でくつろぐ人が自分を取り囲む様に配置されたカーテンの内側であたかも本格的なプラネタリウムの中にいる様な雰囲気にしたることができる。しかも天蓋は部屋の天井の形や状態、照明器具の有無に関係なく取付けられるため、部屋の条件を問わず楽しむことができる。またカーテンのつけ方や配置の仕方で様々な演出ができ、天井よりずっと近くで光を発光させたり、自分を取り囲むように立体的に光を発光させたりと臨場感のある演出が可能である。色の異なる光源を複数組み合わせて用いれば複数色で光を演出することが可能であり、また複数の光源を用いてこれらを独立して光強度変化させればより自然な星の瞬きの様な演出も可能である。
（２）請求項２記載のものでは、光ファイバが少なくとも２種類以上の径の異なるものを組み合わせてなるため、小さな星から大きな星までを表現することができ、より実際の夜空に近い雰囲気を出すことができる。
【００１４】
本発明の天蓋用の電飾装置には次のような効果がある。
（１）請求項３記載のものでは、長尺な複数本の光ファイバの一端を束ね略揃えて光の入射部を構成し、同入射部にこれら光ファイバの一本一本に光を入射可能とした光源を取付けたため、市販の天蓋や天蓋付きベッドに光ファイバを自由に配置するだけで安価で簡単に自分好みのプラネタリウムの雰囲気を楽しむことができる。また光ファイバの出射端の位置を変えることにより後からのアレンジも可能である。また始めから長尺な光ファイバが付いているので天蓋の大きさやデザインに合わせて自由に光ファイバを取り回すことができ、光源に近いところで発光させたい場合は途中で切断して短くし、遠くで発光させたいところは長いままにしておく等することができる。色の異なる光源を複数組み合わせて用いれば複数色で光を演出することが可能であり、また複数の光源を用いてこれらを独立して光強度変化させればより自然な星の瞬きの様な演出も可能である。
（２）請求項４記載のものでは、複数本の光ファイバが少なくとも２種類以上の径の異なるものを組み合わせて構成されるため、小さな星から大きな星までを表現することができ、より実際の夜空に近い雰囲気を出すことができる。
（３）請求項５記載のものでは、光源は接続した光ファイバの光出射端から光が出射されるが途中の部分では極力光が漏洩しないように光出力を低く調整してあるため、例えば光ファイバの先端の出射端からのみ光を出すことができ、光量が強すぎて光ファイバの途中が発光して星の雰囲気をスポイルしてしまうことを防止できる。
【図面の簡単な説明】
【００１５】
【図１】本件発明の電飾付き天蓋とそれに用いられる天蓋用の電飾装置の第１の実施形態を示した斜視図。
【図２】図1の光源及び光ファイバの断面図。
【図３】本件発明の電飾付き天蓋とそれに用いられる天蓋用の電飾装置の第２の実施形態を示した斜視図。
【図４】（ａ）は天蓋の第１例を示した斜視図、（ｂ）は天蓋の第２例を示した斜視図。
【発明を実施するための形態】
【００１６】
以下では、本発明の一例に係る実施形態について説明する。ここで説明する実施形態は、本発明の構成や構造を分かりやすく説明するための限られた例であって、特に天蓋には多様なデザインが存在するものであって、以下に説明するデザインに限られるものではない。
（第１の実施形態）
第１の実施形態を示す図１において４は、レース生地のカーテン２を天井（図示していない）に紐１０で吊り下げてベッド（家具）１の上部空間３の一部乃至全体を囲うことができる様に構成した天蓋である。天蓋４は、紐１０で吊り下げられる略円錐形状に縫製された第１のカーテン２（２ａ）の裾部分１１に直径約７０cmのリング状部材１２が取り付けられ、同リング状部材１２の下にベッド全体を囲える様にひだを付けてドレープの様にした第２のカーテン２（２ｂ）を巻き付けて取り付けている。この第２のカーテン２ｂをベッド１の周囲を覆う様にかぶせてある。従って、ベッド１に横たわった人はカーテン２（２ａ、２ｂ）の内側の空間でくつろぐことができる様になっている。カーテン２の素材は前記した様にレース生地であり、通気性に優れており、また内側から外側を或は外側から内側を透けて見通すことができる様になっている。なお本実施形態では上部の円錐形の部分（２ａ）とベッドを覆える様にした部分（２ｂ）とを別々に縫製してあるが、一枚もののカーテン２を用いて製作しても良い。またリング状部材１２の直径は７０cm以上でも良く、それ以下でも良い。さらにリング状部材１２は真円でなく、楕円形状することや四角形、三角形にするなど所望の形にすることができる。
【００１７】
図１の７は、白色の光を発するＬＥＤ１３を用いた光源であり、天蓋４の上部のリング状部材１２に取り付けられている。同光源７は図２に示す様に外径７ｍｍ、内径５ｍｍのパイプ状のアルミ製の筐体１４を有し、筐体１４内部の奥に前記白色のＬＥＤ１３（発光素子と放熱ベースなどからなる）を取付け、同筐体１４の奥から開口部１５に向けて光を出射できる様にしてある。開口部１５の反対側にはＬＥＤ１３の電線１６が出ており、同電線１６は図示されていないＡＣアダプタに接続され、家庭用のＡＣ１００Ｖコンセントと接続することによりＬＥＤ１３を点灯させることができる様にしてある。なおアルミ製の筐体１４はＬＥＤ１３からの熱を逃がす放熱手段としても機能している。前記ＡＣアダプタとＬＥＤ１３とを接続する電線１６の間にはＬＥＤ１３をオンオフするためのスイッチ（図示していない）を設けてある。また本件発明においてはＬＥＤ１３の明るさを調整するための調光装置などを取り付けることもできる。調光装置を設けることにより、通常は光ファイバ５の出射端８からだけ光が出る様にしたプラネタリウムの雰囲気を強調する使い方をし、雰囲気を変えたい場合はＬＥＤ１３の発光強度を上げて光ファイバ５の途中部分からも光が適度に漏洩される様にして別の雰囲気を楽しむこともできる。ＬＥＤ１３は白色に限られず、赤色や青色、緑色などを用いてもよく、これらを組み合わせて所望の色を作り出したり、色を変化させたりすることもできる。
【００１８】
図１の５は樹脂製の光ファイバであり、外径０．２５ｍｍのものと０．５ｍｍの２種類の光ファイバ５を多数本組み合わせて束ねてある（図１や２において光ファイバ５の太さの違いは表現していない。）。本実施形態では直径０．２５ｍｍのものを３０本、０．５ｍｍのものを１０本用いており、しかも長さは長いもので最大４ｍ程度から短いもので最小３０ｃｍ程度までを用いた。これら束ねた光ファイバ５の一端は端面を揃えて光の入射部６としてあり、筐体１４の開口部１５から奥に差し込んであり、筐体１４内で発光するＬＥＤ１３の光を光ファイバ５の１本１本に入射できる様にしてある。本実施形態では天蓋４の組立や部品の交換を容易とするため、光ファイバ５の入射部６に外径４．９ｍｍのスリーブ部品１７を被せると共に光ファイバ５がばらけて抜けない様に入射部６全体を光ファイバ５と共に接着してある。そして光ファイバ５の入射部６は前記スリーブ部品１７により筒状筐体１４の開口部１５と抜き差し可能な構造としてある。本実施形態ではスリーブ部品１５をある程度長く作成してあり、それに合わせてアルミ製の筐体１４も長くしてあり、これらにより着脱を確実且つ精度の高いものとし、さらに光ファイバ５の入射部６が長くスリーブ部品１７によりカバーされるため筐体内部のＬＥＤ１３の光の漏洩を少なくできるようにしてある。本件発明において用いる光ファイバ５の直径や本数は上記に限られないが、きれいに見せるためにはできるだけ数多くの光ファイバを用いることが望ましい。また光ファイバ５の太さ（正確にはコアの直径）が星の大きさになるため、できるだけ細いものを沢山使用し、また星にバリエーションを持たせるため２種類かそれ以上の太さの異なるものを組み合わせることが望ましい。低予算で作成する場合には１種類でも良い。本実施形態において光ファイバ５は事前に長さの異なるものを用意したが、あらかじめすべて３ｍ前後の長いもので光ファイバ５の束を作成し、カーテン５に取付ける際に後から適宜裁断できる様にしても良い。特に光ファイバ５と光源７とからなる天蓋用の電飾装置を天蓋とは別に単独で販売する場合にはこのようにするとよい。
【００１９】
図１に示す様に光源７に取り付けた光ファイバ５の他端（光出射端８）側はカーテン２の円錐形状部分の中心から放射状に散らばす様に這わせてある。そしてそれぞれの光ファイバ５はレースの編み目に所々縫う様に通してカーテン２から浮き上がったり位置ずれしたりしない様してある。また光ファイバ５の出射端８がカーテン２の全体に無秩序に散らばる様に、長さの短い光ファイバ５は光源７に近い上部で光を発せさせる様に取り付け、長さの長いものはカーテン裾の部分までのばして取付けて下の方で発光する様にし、全体として光ファイバ５の光出射端８がカーテン２全体に適度に満遍なく散らばる様にしてある。そしてベッド１に横たわった人の目から見たときにカーテン２の内側のあちらこちらで光が出射されるようにしてある。光ファイバ５の這わせ方や光出射端８の位置は自由であるが、できるだけ夜空の星の光る様子に近づけることが望ましい。なお、光ファイバ５の途中途中を接着剤等でカーテン２に確実に固定することもできる。このようにすれば洗濯ネット等に入れてカーテン２のみを外して洗濯することも可能となる。なお光源７は天蓋４のどこに設けても良く、さらには天蓋４と別な位置に設けても良い。
【００２０】
（第２の実施形態）
図３に本発明の電飾付き天蓋とそれに用いられる天蓋用の電飾装置の第２の実施形態を説明する。
図３の天蓋４は、ベッド１の四隅に支柱２０を配し且つ上部にこれら支柱２０に支えられた長方形の枠体２１を有するフレーム付きのものである。この長方形の枠体２１の内側にベッド１の上部を覆う様にレース生地のカーテン２が取り付けられ、また枠体２１の４辺それぞれに同じくレース生地のカーテン２がたれ下げられている。本実施形態で天井部分のカーテン２ｃのみに実施形態１で説明した光ファイバ５の束と光源７からなる電飾装置を取り付け、光ファイバ５の出射端８をカーテン２ｃのあちこちに散らばる様に配置した。また実施形態１と同様に各光ファイバ５が位置ずれしない様に光ファイバ５の所々をカーテン２に縫い付ける様に通してもある。この実施形態では天蓋４を構成するカーテン２のうち天井部分を構成する１枚だけ（２ｃ）に光ファイバ５を配置したが、他の４面のカーテン２に光ファイバ５を配置することもできる。
【００２１】
（他の実施形態）
以上の実施形態では説明において趣味的インテリアとして用いられる天蓋で説明してきたが、実用性で用いられる蚊帳に電飾を施してもかまわない。この場合、蚊帳を構成する薄手の生地（この場合、蚊が通り抜けできない様な細かさの目を持つ生地）の表面に光ファイバを這わせて蚊帳の表面のあちらこちらから光ファイバの光が出射される様にする。
【００２２】
本件発明では光源７を青色のものと白色のものと２つ設け、それぞれに光ファイバ５の束を接続して光ファイバ５から青色の光と白色の光がそれぞれ出射される様にしても良い。このようにすると２色の光を持つプラネタリウムの雰囲気を楽しむことができ、さらにそれぞれの光源７で独立して光量を変化させたりすればより自然な星の瞬きを表現することもできる。光源７は３色以上用意してもよい。なお、光源７を複数とする場合は図２に示す筺体１４内にエリアを区切って複数設けることもできるし、或いは図２の筺体１４を光源７毎に用意して完全に独立させて設けることもできる。いずれにしても各光源７から出射される光が複数本の光ファイバ５のいずれかに独立して入力されるようになっていれば良い。
【００２３】
本件発明において天蓋の形やデザイン、大きさは様々なものを作成でき、以上説明したものに限られない。例えば乳児が寝る小さなベッドに合わせる場合、以上の実施形態のものよりかなり小さなものとなる。またカーテン２の素材は上記のレース生地や蚊帳の生地以外にカーテンとして利用できるものであればどのようなものでも良い。もしニーズがあれば暗幕で用いられるような厚手の遮光性のある生地を用いてもよく、この場合には光ファイバ５の光出射端８はカーテン２の内側に露出する様に設ける必要があり、即ちカーテン２の内側でくつろぐ人が光ファイバ５の光を見える様にする必要がある。光出射端８以外の途中経路部分はカーテン２の外側に這わしても良いし、内側に這わしても良い。
【００２４】
以上実施形態において光ファイバ５は現時点で市販されているものを用いたが、市販のものでは光源７の光量を適切に調整しないと光ファイバ５の先端の出射端８以外の部分からも光がわずかに漏れて光っている様に見えてしまうことがある。特に安価な照明向けの製品では多い。そこで特別に光ファイバ５の外周面に光が漏洩するのを防止する層を被覆したりコートしたりしてもよい。
【００２５】
本件発明においては光ファイバ５の途中部分に小さな傷を付ける等して内部のコアを伝播する光がそこから部分的に漏れる様にしても良い。この場合、１本の光ファイバ５でも複数箇所から小さな光を発光させることができる様になり、少ない本数の光ファイバ５で効率よく光（星）を演出することができる。
【産業上の利用可能性】
【００２６】
本発明の電飾付き天蓋とそれに用いられる天蓋用の電飾装置は簡易の家庭向けプラネタリウムとして利用することができる。
【符号の説明】
【００２７】
１  家具
２  カーテン
３  上部空間
４  天蓋
５  光ファイバ
６  入射部
７  光源
８  光出射端
【図１】
2013084482.tif 000003
【図２】
2013084482.tif 000004
【図３】
2013084482.tif 000005
【図４】
2013084482.tif 000006